(57)【特許請求の範囲】
【請求項１】
ユーザー端末におけるデバイス内部相互干渉をハンドリングする方法であって、
ユーザー端末内のＬＴＥ（long term evolution）モジュールとＩＳＭ（industrial, scientific and medical radio band）モジュールとの間のデバイス内部相互干渉を検出するステップと、
時分割多重化（ＴＤＭ）ドメインで前記ＬＴＥモジュールに関連したパラメータの集合を指示するデバイス内部相互干渉指示メッセージを基地局に送信するステップと、
を有し、
前記パラメータの集合は、前記ＬＴＥモジュールと前記ＩＳＭモジュールとの間のデバイス内部相互干渉を解決するための一つ以上のサブフレーム及び対応するＨＡＲＱ（hybrid automatic repeat request）プロセスを指示するパターンを含むことを特徴とする方法。
【請求項２】
前記サブフレーム及び前記対応するＨＡＲＱプロセスは、前記ＩＳＭモジュールのトラフィックを受け入れることで、前記基地局に指示されることを特徴とする請求項１に記載の方法。
【請求項３】
前記送信に対する応答で、前記基地局からスケジュールリングパターンを受信するステップをさらに有し、
前記スケジュールリングパターンは、前記指示に基づいて引き出されたＤＲＸ（discontinuous reception）パラメータを指示することを特徴とする請求項１に記載の方法。
【請求項４】
前記サブフレーム及び前記対応するＨＡＲＱプロセスを指示する前記パターンは、ビットマップで表現されることを特徴とする請求項１に記載の方法。
【請求項５】
前記パラメータの集合は、ＤＲＸパラメータをさらに含むことを特徴とする請求項１に記載の方法。
【請求項６】
前記デバイス内部相互干渉の報告が前記基地局によりサポートされるか否かを表すメッセージを前記基地局から受信し、前記デバイス内部相互干渉が検出される場合に前記ユーザー端末が前記サブフレーム及び対応するＨＡＲＱプロセスを指示する前記デバイス内部相互干渉指示メッセージを送信するステップをさらに有することを特徴とする請求項１に記載の方法。
【請求項７】
メモリと、
前記メモリに連結されるプロセッサと、を含み、
前記プロセッサは、
ユーザー端末に含まれているＬＴＥ（long term evolution）モジュールとＩＳＭ（industrial, scientific and medical radio band）モジュールとの間のデバイス内部相互干渉を検出し、
時分割多重化（ＴＤＭ）ドメインで前記ＬＴＥモジュールに関連したパラメータの集合を指示するデバイス内部相互干渉指示メッセージを基地局に送信するように構成され、
前記パラメータの集合は、前記ＬＴＥモジュールと前記ＩＳＭモジュールとの間のデバイス内部相互干渉を解決するための一つ以上のサブフレーム及び対応するＨＡＲＱ（hybrid automatic repeat request）プロセスを指示するパターンを含むことを特徴とする装置。
【請求項８】
前記サブフレーム及び前記対応するＨＡＲＱプロセスは、前記ＩＳＭモジュールのトラフィックを受け入れることで、前記基地局に指示されることを特徴とする請求項７に記載の装置。
【請求項９】
前記プロセッサは、前記送信に対する応答で、前記基地局から受信されたスケジュールリングパターンを適用するように構成され、
前記スケジュールリングパターンは、前記指示に基づいて引き出されたＤＲＸ（discontinuous reception）パラメータを指示することを特徴とする請求項７に記載の装置。
【請求項１０】
ユーザー端末におけるデバイス内部相互干渉をハンドリングする方法であって、
ユーザー端末のＬＴＥ（long term evolution）モジュールとＩＳＭ（industrial, scientific and medical radio band）モジュールとの間のデバイス内部相互干渉を検出するステップと、
時分割多重化（ＴＤＭ）ドメインで前記ＬＴＥモジュールに関連したパラメータの集合を指示するデバイス内部相互干渉指示メッセージを基地局に送信するステップと、
を有し、
前記パラメータの集合は、前記ＬＴＥモジュールと前記ＩＳＭモジュールとの間の干渉を低減するためのＤＲＸ（discontinuous reception）動作に関連したＤＲＸパラメータを含むことを特徴とする方法。
【請求項１１】
前記デバイス内部相互干渉の報告が前記基地局によりサポートされるか否かを表すメッセージを前記基地局から受信し、前記デバイス内部相互干渉が検出される場合に前記ユーザー端末が前記パラメータの集合を報告するステップをさらに有することを特徴とする請求項１０に記載の方法。
【請求項１２】
前記ＤＲＸパラメータは、オンデュレーションタイマ区間及びＤＲＸサイクル長を含むことを特徴とする請求項１０に記載の方法。
【請求項１３】
前記ＤＲＸパラメータに基づいて前記ＬＴＥモジュールが前記オンデュレーションタイマ区間で動作し、前記ＩＳＭモジュールが前記ＤＲＸサイクルの残りの時間区間で動作するように構成するステップを含むことを特徴とする請求項１２に記載の方法。
【請求項１４】
メモリと、
前記メモリに接続されるプロセッサと、を含み、
前記プロセッサは、
ＬＴＥ（long term evolution）モジュールとＩＳＭ（industrial, scientific and medical radio band）モジュールとの間のデバイス内部相互干渉を検出し、
時分割多重化（ＴＤＭ）ドメインで前記ＬＴＥモジュールに関連したパラメータの集合を指示するデバイス内部相互干渉指示メッセージを基地局に送信するように構成され、
前記パラメータの集合は、前記ＬＴＥモジュールと前記ＩＳＭモジュールとの間の干渉を低減するためのＤＲＸ（discontinuous reception）動作に関連したＤＲＸパラメータを含むことを特徴とする装置。
【請求項１５】
前記ＤＲＸパラメータは、オンデュレーションタイマ区間及びＤＲＸサイクル長を含むことを特徴とする請求項１４に記載の装置。
【請求項１６】
前記プロセッサは、前記ＤＲＸパラメータに基づいて前記ＬＴＥモジュールが前記オンデュレーションタイマ区間で動作し、前記ＩＳＭモジュールが前記ＤＲＸサイクルの残りの時間区間で動作するように構成されることを特徴とする請求項１５に記載の装置。
【請求項１７】
ユーザー端末におけるデバイス内部相互干渉をハンドリングする方法であって、
前記ユーザー端末のＬＴＥ（long term evolution）モジュールとＩＳＭ（industrial, scientific and medical radio band）モジュールとの間のデバイス内部相互干渉を検出するステップと、
前記デバイス内部相互干渉を除去するために周波数ドメインと時間ドメインとのうち少なくとも一つで前記ＬＴＥモジュールと関連するパラメータの集合を指示する統合シグナルリングメッセージを基地局に送信し、前記ＬＴＥモジュール及び前記ＩＳＭモジュールに非干渉時間を提供するように前記パラメータの集合に基づいて前記基地局が前記ユーザー端末にデータをスケジュールリングするステップと、
を有することを特徴とする方法。
【請求項１８】
前記デバイス内部相互干渉の報告が前記基地局によりサポートされるか否かを示すメッセージを前記基地局から受信し、前記デバイス内部相互干渉が検出される場合に前記ユーザー端末が前記パラメータの集合を報告するステップをさらに有することを特徴とする請求項１７に記載の方法。
【請求項１９】
前記パラメータの集合は、前記デバイス内部相互干渉に寄与し、前記ＬＴＥモジュールに割り当てられる一つ以上の周波数を含むことを特徴とする請求項１８に記載の方法。
【請求項２０】
前記パラメータの集合は、前記ＬＴＥモジュール動作に関連するＨＡＲＱ（hybrid automatic repeat request）プロセス値を指示するビットマップパターンとＤＲＸ（discontinuous reception）パラメータとのうち少なくとも一つを含むことを特徴とする請求項１８に記載の方法。
【請求項２１】
前記ＤＲＸパラメータは、オンデュレーションタイマ値及びＤＲＸサイクル長を含むことを特徴とする請求項２０に記載の方法。
【請求項２２】
前記ＨＡＲＱプロセス値は、前記デバイス内部相互干渉を引き起こすサブフレームの集合で一つ以上のサブフレーム及び対応するＨＡＲＱプロセスを含むことを特徴とする請求項２０に記載の方法。
【請求項２３】
前記基地局によりＴＤＭ解決方式が選択される場合、前記パラメータの集合に応答して前記基地局からスケジュールリングパターンを受信するステップをさらに有することを特徴とする請求項１７に記載の方法。
【請求項２４】
前記デバイス内部相互干渉を除去するためのＦＤＤ解決方式の選択を指示するメッセージを受信するステップをさらに有し、
前記選択を指示するメッセージは、一つのキャリアから他のキャリアへの無線接続をハンドオーバーさせるハンドオーバー命令と一つ以上のコンポーネントキャリアを非活性化させる非活性化命令とのうちいずれか一つを含むことを特徴とする請求項１７に記載の方法。
【請求項２５】
前記ＬＴＥモジュールと前記ＩＳＭモジュールとの間の前記デバイス内部相互干渉の終了を検出するステップと、
前記ＬＴＥモジュールと前記ＩＳＭモジュールとの間の前記デバイス内部相互干渉の終了を前記基地局に通信するステップと、
をさらに有することを特徴とする請求項１７に記載の方法。
【請求項２６】
メモリと、
前記メモリに接続されるプロセッサと、を含み、
前記プロセッサは、
ユーザー端末のＬＴＥ（long term evolution）モジュールとＩＳＭ（industrial, scientific and medical radio band）モジュールとの間のデバイス内部相互干渉を検出し、
前記デバイス内部相互干渉を除去するために周波数ドメインと時間ドメインとのうち少なくとも一つで前記ＬＴＥモジュールと関連するパラメータの集合を示す統合シグナルリングメッセージを基地局に送信し、前記ＬＴＥモジュール及び前記ＩＳＭモジュールに非干渉時間を提供するように前記パラメータの集合に基づいて前記基地局が前記ユーザー端末にデータをスケジュールリングするように構成されることを特徴とする装置。
【請求項２７】
前記パラメータの集合は、前記デバイス内部相互干渉に寄与し、前記ＬＴＥモジュールに割り当てられる一つ以上の周波数を含むことを特徴とする請求項２６に記載の装置。
【請求項２８】
前記パラメータの集合は、前記ＬＴＥモジュール動作に関連するＨＡＲＱ（hybrid automatic repeat request）プロセス値を指示するビットマップパターンとＤＲＸ（discontinuous reception）パラメータとのうち少なくとも一つを含むことを特徴とする請求項２６に記載の装置。
【請求項２９】
前記ＤＲＸパラメータは、オンデュレーションタイマ値及びＤＲＸサイクル長を含むことを特徴とする請求項２８に記載の装置。
【請求項３０】
前記ＨＡＲＱプロセス値は、前記デバイス内部相互干渉を引き起こすサブフレームの集合で一つ以上のサブフレーム及び対応するＨＡＲＱプロセスを含むことを特徴とする請求項２８に記載の装置。
【請求項３１】
前記プロセッサは、
前記ＬＴＥモジュールと前記ＩＳＭモジュールとの間の前記デバイス内部相互干渉の終了を検出し、
前記ＬＴＥモジュールと前記ＩＳＭモジュールとの間のデバイス内部相互干渉の終了を前記基地局に通信するように構成されることを特徴とする請求項２６に記載の装置。
【発明の詳細な説明】
【技術分野】
【０００１】
本発明は無線通信システム技術分野に関するもので、特に無線通信環境におけるデバイス内部相互干渉（in-device co-existence interference）のハンドリングに関する。
【背景技術】
【０００２】
ＩＳＭ帯域（ブルートゥース（登録商標）、Ｗｉ−Ｆｉなど）技術を使用するＬＴＥとＧＮＳＳの共存は、ＬＴＥとＧＮＳＳが移動電話機で非常に一般的な結合がなされることにより提供される必要性がある。このような技術各々は、特定目的をサービスするために相互に異なるグループにより開発されている。この技術の特性は、それぞれ異なる。この技術は、異なる周波数で動作し、異なるアクセスメカニズムを有し、異なるフレーム構造及びピーク送信電力を有する。
【０００３】
このようなすべての技術が隣接帯域（小さな区分（small separation）、例えば、＜２０ＭＨｚ）で同時に動作し、一般的に５０ｄＢアイソレーションが要求される。しかしながら、ＵＥの小さなフォームファクタは、１０−３０ｄＢアイソレーションのみを提供する。その結果、ある無線送信器は、他の無線受信器に深刻な影響を及ぼす。例えば、ＵＥの小さなフォームファクタは、ＩＳＭ技術の送信からＬＴＥ又はＷｉＭａｘのようなセルラー技術の受信器への干渉の大きい競合（challenge）をもたらす。同様に、セルラー技術の送信器は、ＩＳＭ受信器に対する深刻な干渉をもたらす可能性がある。デバイス内部相互干渉問題の主な原因は、電力増幅器とアナログ−デジタル変換器の制限された動的範囲による受信器ブロッキング（blocking）と、不完全なフィルタリングによる帯域外放出となり得る。
【発明の概要】
【発明が解決しようとする課題】
【０００４】
ブルートゥースとＬＴＥの共存
ＬＴＥ帯域７ＵＬとブルートゥース帯域は、２０ＭＨｚの周波数帯域により区分される。この帯域７は、ＦＤＤ帯域であり、ＬＴＥ受信器は、ブルートゥース送信器により影響を受けず、これに対してＬＴＥ送信器は、ブルートゥース受信器に影響を与えることができる。また、ＬＴＥ帯域４０（ＴＤＤ帯域）とブルートゥース周波数帯域との間の２ＭＨｚの非常に小さな区分が存在する。したがって、共存する場合に、ＬＴＥ帯域４０の上位部分を使用して中断させることは不可能である。図１Ａは、ＬＴＥとブルートゥースチャンネルとの間の区分を示す概略図である。
【０００５】
Ｗｉ−ＦｉとＬＴＥの共存
Ｗｉ−Ｆｉ動作のためのＩＳＭ帯域内で区分される１４個のチャンネルが存在する。各チャンネルは、１２ＭＨｚ単位で区分されるチャンネル番号１４を除いて５ＭＨｚ単位で他のチャンネルと区分される。チャンネル１は２４０１ＭＨｚで始まり、その後にＬＴＥ帯域４０とＷｉ−Ｆｉとの間にはほぼ区分が存在しない。Ｗｉ−Ｆｉのチャンネル１４は２４９５ＭＨｚで終了し、したがって理論上にはＬＴＥ帯域７とＷｉ−Ｆｉとの間には５ＭＨｚの区分のみが有用である。いろいろな国は、Ｗｉ−Ｆｉの許可チャンネルの個数に対して相互に異なる政策を有する。現在では、多くの国家は、チャンネル１乃至チャンネル１３のみを許容しており、これに対して日本はＩｅｅｅ８０２.１１ｂベースの通信のみに対してチャンネル番号１４の使用を許容している。これは、Ｗｉ−ＦｉとＬＴＥ帯域７との間には理論的には５ＭＨｚの区分のみが有用であっても、実際には少なくとも１７ＭＨｚが有用であることを示す。図１Ｂは、ＬＴＥとＷｉ−Ｆｉチャンネルとの間の区分を示す概略図である。
【課題を解決するための手段】
【０００６】
上記のような目的を達成するために、本発明の一態様によれば、ユーザー端末におけるデバイス内部相互干渉をハンドリングする方法であって、ユーザー端末に含まれているＬＴＥモジュールとＩＳＭモジュールとの間のデバイス内部相互干渉を検出するステップと、ＩＳＭモジュール動作により影響を受けるＬＴＥモジュールに割り当てられるサブフレームの集合で一つ以上のサブフレーム及び対応するＨＡＲＱプロセスを識別するステップと、ＬＴＥモジュール動作に対するサブフレームの集合で残りのサブフレーム及び対応するＨＡＲＱプロセスを予約するステップと、基地局に、サブフレームの集合で残りのサブフレーム及び対応するＨＡＲＱプロセスがＬＴＥモジュールとＩＳＭモジュールとの間のデバイス内部相互干渉を除去するためにＬＴＥモジュール動作に対して予約されることを指示するステップとを有する方法が提供される。
【０００７】
本発明の別の態様によれば、プロセッサと、プロセッサに連結されるメモリとを含み、メモリは、ＬＴＥモジュールとＩＳＭモジュールとの間のデバイス内部相互干渉を検出し、ＩＳＭモジュール動作により影響を受けるＬＴＥモジュールに割り当てられるサブフレームの集合で一つ以上のサブフレーム及び対応するＨＡＲＱプロセスを識別し、ＬＴＥモジュール動作のためにサブフレームの集合で残りのサブフレーム及び対応するＨＡＲＱプロセスを予約し、基地局に、サブフレームの集合で残りのサブフレーム及び対応するＨＡＲＱプロセスがＬＴＥモジュールとＩＳＭモジュールとの間のデバイス内部相互干渉を除去するためにＬＴＥモジュール動作のために予約されることを指示するように構成される干渉除去モジュールを含む装置が提供される。
【０００８】
また、本発明の別の態様によれば、ユーザー端末におけるデバイス内部相互干渉をハンドリングする方法であって、ユーザー端末のＬＴＥモジュールとＩＳＭモジュールとの間のデバイス内部相互干渉を検出するステップと、ＬＴＥモジュールとＩＳＭモジュールとの間の非干渉動作を引き起こすＤＲＸ動作に関連したパラメータの集合を決定するステップと、ＤＲＸ動作に関連したパラメータの集合を無線ネットワークの基地局に通信するステップとを有する方法が提供される。
【０００９】
さらに、本発明の別の態様によれば、プロセッサと、プロセッサに接続されるメモリとを含み、メモリは、ＬＴＥモジュールとＩＳＭモジュールとの間のデバイス内部相互干渉を検出し、ＬＴＥモジュールとＩＳＭモジュールとの間の非干渉動作を引き起こすＤＲＸ動作に関連したパラメータの集合を決定し、ＤＲＸ動作に関連したパラメータの集合を無線ネットワークの基地局に通信するように構成される干渉除去モジュールを含む装置が提供される。
【００１０】
本発明の別の態様によれば、ユーザー端末におけるデバイス内部相互干渉をハンドリングする方法であって、ユーザー端末のＬＴＥモジュールとＩＳＭモジュールとの間のデバイス内部相互干渉を検出するステップと、デバイス内部相互干渉を除去するために周波数ドメインと時間ドメインとのうち少なくとも一つでＬＴＥモジュールに関連したパラメータの集合を識別するステップと、パラメータの集合を指示する統合シグナルリングメッセージを送信して基地局がＬＴＥモジュールとＩＳＭモジュールに非干渉時間を提供するためにパラメータの集合に基づいてユーザー端末にデータをスケジュールリングするステップとを有する方法が提供される。
【００１１】
さらに、本発明の別の態様によれば、プロセッサと、プロセッサに接続されるメモリとを含み、メモリは、ＬＴＥモジュールとＩＳＭモジュールとの間のデバイス内部相互干渉を検出し、デバイス内部相互干渉を除去するために周波数ドメインと時間ドメインとのうち少なくとも一つでＬＴＥモジュールに関連するパラメータの集合を識別し、パラメータの集合を示す統合シグナルリングメッセージを基地局に送信して基地局がＬＴＥモジュールとＩＳＭモジュールに非干渉時間を提供するためにパラメータの集合に基づいてユーザー端末にデータをスケジュールリングするように構成される干渉除去モジュールを含む装置が提供される。
【発明の効果】
【００１２】
本発明は、無線通信環境におけるデバイス内部相互干渉をハンドリングする方法及び装置を提供する。
【図面の簡単な説明】
【００１３】
【図１Ａ】本発明のコンテキストにおいて、ＬＴＥとブルートゥースチャンネルとの間の区分を示す概略図である。
【図１Ｂ】本発明のコンテキストにおいて、ＬＴＥとＷｉ−Ｆｉチャンネルとの間の区分を示す概略図である。
【図２】本発明の一実施形態により、ユーザー端末でＬＴＥモジュールとＩＳＭモジュールとの間のデバイス内部相互干渉をハンドリングする無線通信システムのブロック構成図である。
【図３】本発明の一実施形態により、ユーザー端末でＬＴＥモジュールとＩＳＭモジュールとの間のデバイス内部相互干渉をハンドリングする望ましい方法を示すプロセスフローチャートである。
【図４】本発明の別の実施形態により、ユーザー端末でＬＴＥモジュールとＩＳＭモジュールとの間のデバイス内部相互干渉をハンドリングする望ましい方法を示すプロセスフローチャートである。
【図５】本発明の別の実施形態により、ユーザー端末でＬＴＥモジュールとＩＳＭモジュールとの間のデバイス内部相互干渉をハンドリングする望ましい方法を示すプロセスフローチャートである。
【発明を実施するための形態】
【００１４】
明細書中で説明される図面は、説明の目的のために提供されるだけで、本発明の権利範囲を決して制限しないことに留意すべきである。
【００１５】
以下、本発明の望ましい実施形態を添付の図面を参照して詳細に説明する。
本発明は、ユーザー端末におけるデバイス内部相互干渉をハンドリングする方法及び装置を提供する。本発明の実施形態に関する下記の具体的な説明において、参照番号はその一部を構成し、本発明が実行できる具体的な実施形態を示すための方式として示される添付図面で使用することができる。本発明の実施形態は、本発明が属する技術分野における当業者に本発明が実行可能なように十分に具体的に説明される。また、本発明の具体的な説明は、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【００１６】
図２は、本発明の一実施形態により、ユーザー端末においてＬＴＥモジュールとＩＳＭモジュールとの間のデバイス内部相互干渉をハンドリングする無線通信システム２００を示すブロック構成図である。図２において、無線通信システム２００は、無線ネットワーク（例えば、ＬＴＥネットワーク）２５３を介して接続される基地局（例えば、ｅＮＢ）２５０とユーザー端末（ＵＥ）２５１を含む。ユーザー端末２５２は、ＬＴＥモジュール２０２、ＩＳＭモジュール２０４、プロセッサ２０６、及びメモリ２０８を含む。メモリ２０８は、命令（instruction）の形態で格納される干渉除去モジュール（interference resolution module）２１０を含み、この命令は、プロセッサ２０６により実行される場合、ＬＴＥモジュール２０２とＩＳＭモジュール２０４との間のデバイス内部相互干渉をハンドリングするようになる。
【００１７】
ＬＴＥモジュール２０２とＩＳＭモジュール２０４がオン状態であり、干渉除去モジュール２１０が、ＬＴＥモジュール２０２がＩＳＭモジュール２０４の動作に干渉することを検出した場合を考慮する。この場合、干渉除去モジュール２１０は、図３乃至図５で説明する方法のうちいずれか一つを遂行することによって、ＬＴＥモジュール２０２とＩＳＭモジュール２０４の非干渉（interference free）動作を可能にする。
【００１８】
図３は、一実施形態によるユーザー端末（ＵＥ）２５２のＬＴＥモジュール２０２とＩＳＭモジュール２０４との間のデバイス内部相互干渉をハンドリングする望ましい方法を示すプロセスフローチャート３００である。ステップ３０２において、ＬＴＥモジュール２０２とＩＳＭモジュール２０４との間のデバイス内部相互干渉が検出される。例えば、干渉除去モジュール２１０は、ＬＴＥモジュール動作がＩＳＭモジュール動作に対する干渉を引き起こし、あるいはＩＳＭモジュール動作により干渉を受けると決定できる。ステップ３０４において、ＩＳＭタイムラインは、ＬＴＥモジュール２０２に関連して影響を受ける複数のサブフレーム及びＩＳＭモジュール２０４に関連するタイムスロットが、ＬＴＥモジュール２０２又はＩＳＭモジュール２０４により引き起こされる干渉を減少させるために、最大限減少させる方式で調整（align）される。この干渉がまだ続いている場合、干渉除去モジュール２１０は、下記のようなステップを遂行する。
【００１９】
ステップ３０６において、ＩＳＭモジュール動作を干渉するか、あるいはＩＳＭモジュール動作により干渉される１セットのサブフレームで一つ以上のサブフレーム及び該当アップリンク／ダウンリンク（ＵＬ／ＤＬ）ハイブリッド自動再送要求（ＨＡＲＱ）プロセスが識別される。ステップ３０８において、サブフレームの集合で残りのサブフレーム及び該当ＵＬ／ＤＬ  ＨＡＲＱプロセスは予約される。ステップ３１０において、残りのサブフレーム及び対応ＵＬ／ＤＬＨＡＲＱプロセスは、ＬＴＥモジュール動作のために予約されていることをギャップパターンで基地局２５１に指示される。残りのサブフレーム及び該当ＵＬ／ＤＬ  ＨＡＲＱプロセスは、無線ネットワークがＵＥ２５２でデバイス内部相互干渉の報告をサポートするか否かを示すメッセージをＵＥ２５２が受信した場合、基地局２５１に指示される。
【００２０】
一実施形態において、残りのサブフレーム及び該当ＵＬ／ＤＬ  ＨＡＲＱプロセスは、ビットマップベースのギャップパターンで基地局２５１に表されて指示される。ビットマップベースのギャップパターンの長さは、動作するＬＴＥ  ＴＤＤ構成又はＦＤＤモードに基づく。例えば、ＦＤＤに対するビットマップの長さが‘８’であり、ＴＤＤドメインで‘ＵＬ−ＤＬ構成’である。別の実施形態において、残りのサブフレーム及び該当ＵＬ／ＤＬ  ＨＡＲＱプロセスは、ＤＲＸサイクルの長さとオンデュレーションタイマ区間のようなＤＲＸパラメータの形態で表されて指示される。これら実施形態では、ＤＲＸパラメータ又はビットマップ情報は、メッセージで通信される。
【００２１】
メッセージは、新たなメッセージ（以下、デバイス内部相互干渉指示（in-device co-existence interference indication）又はＩＤＣ＿ＩＮＤと称する）又は測定報告のような既存のＬＴＥメッセージであり得る。測定報告が使用される場合、新たな測定トリガー、例えば、Ｃ１が導入され得る。測定報告がギャップパターンを生成するために使用される場合、干渉報告に関連した測定構成（measurement configuration）は、干渉報告を明らかに識別する特定測定報告イベントを含むことができる。このイベントは、予め構成し、あるいは無線通信ネットワークにより動的に構成することができる。イベントを報告するためのしきい値は、ＲＳＲＰ、ＲＳＳＩ、ＲＳＲＰ、ＳＩＮＲ、又はＵＥ２５２の他の一般的な測定に基づくことができる。このしきい値は、無線通信ネットワーク２５３からＵＥ２５２に測定構成を用いて特定される。
【００２２】
予約されたサブフレーム及びＵＬ／ＤＬ  ＨＡＲＱプロセスは、識別されたサブフレーム及び該当ＵＬ／ＤＬ  ＨＡＲＱプロセス間ＩＳＭ／ＧＮＳＳトラフィックを受け入れるために基地局２５１に指示される。この指示に基づき、基地局２５１は、ＵＥ２５２でＬＴＥモジュール２０２とＩＳＭモジュール２０４との間のデバイス内部相互干渉が存在することを認識する。したがって、基地局２５１は、ＵＥ２５２に関するＵＬ／ＤＬデータをスケジュールリングする場合にビットマップ情報／ＤＲＸパラメータを包含する。
【００２３】
ステップ３１２において、スケジュールリングパターンは、指示に応答して基地局２５１から受信される。スケジュールリングパターンは、ビットマップ又は引き出されたＤＲＸパラメータを用いてＵＥ２５２により決定される予約されたサブフレーム及び対応するＨＡＲＱプロセスを指示する。あるいは、基地局２５１は、変更されたサブフレーム及びＤＬ／ＵＬ  ＨＡＲＱプロセスを変更されたビットマップ又はＤＲＸパラメータを通じて指示できる。例えば、ＩＳＭモジュール２０４がブルートゥース送受信器である場合、基地局２５１は、各ブルートゥース区間と他のサブフレームで少なくとも一対のクリーンなブルートゥースＴｘ／Ｒｘインスタンス（instance）をＬＴＥモジュール２０２に許可するために少なくとも一つのサブフレームを提供する。これは、基地局２５１自身がスケジュールリングパターン内部でＤＬ割り当て／ＵＬグラントを制限するとＵＥ２５２が仮定できることを意味する。したがって、スケジュールリングパターンは、ＵＥ２５２でデバイス内部相互干渉を除去するのに適用される。それによって、このような方式で、上記のプロセスは、ＬＴＥモジュール２０２とＩＳＭモジュール２０４に非干渉時間を提供する。
【００２４】
図４は、本発明の別の実施形態により、ＵＥ２５２のＬＴＥモジュール２０２とＩＳＭモジュール２０４との間のデバイス内部相互干渉をハンドリングする望ましい方法を示すプロセスフローチャート４００を示す。ステップ４０２において、ＬＴＥモジュール２０２とＩＳＭモジュール２０４との間のデバイス内部相互干渉が検出される。ステップ４０４において、ＩＳＭタイムラインは、ＬＴＥモジュール２０２に関連して影響を受ける複数のサブフレーム及びＩＳＭモジュール２０４に関連するタイムスロットを最大限減少させる方式で調整される。
【００２５】
ステップ４０６において、ＤＲＸ動作に関連したパラメータの集合は、ＬＴＥモジュール２０２とＩＳＭモジュール２０４との間のデバイス内部相互干渉を除去するために決定される。パラメータの集合はオンデュレーションタイマ、非活性化タイマ、再伝送タイマ、及びＤＲＸサイクル長を含む。パラメータの値は、ユーズケースと、現時点でＵＥ２５２により認識される共存のシナリオと、ＵＥ２５２が期待するＩＳＭモジュール動作に影響を受ける。ステップ４０８において、ＤＲＸ動作に関連したパラメータの集合は、基地局２５１に通信される。一例として、パラメータの集合は、測定メッセージ（例えば、Ｃ１測定報告）又は他のメッセージを用いて通信される。一部の実施形態では、パラメータの集合は、無線ネットワークがＵＥ２５２でデバイス内部相互干渉の報告をサポートするか否かを示すメッセージをＵＥ２５２が受信した場合、基地局２５１に送信される。したがって、基地局２５１は、ＤＲＸサイクルに関連したパラメータの集合に基づいてＤＲＸサイクルパラメータを構成する。
【００２６】
ステップ４１０において、ＬＴＥモジュール２０２とＩＳＭモジュール２０４は、各々オンデュレーション時間区間及び残り時間区間（ＤＲＸサイクル−オンデュレーションタイマ）で動作するように構成される。実施形態において、非活性化タイマは、ＬＴＥモジュール２０２とＩＳＭモジュール２０４との間のデバイス内部相互干渉が存在するまで値０に設定される。この実施形態において、ＬＴＥモジュール２０２の動作は、ＤＲＸサイクルの残り時間区間（例えば、非活性化タイマが駆動されている場合）で中断される。例えば、適応／非適応（adaptive/non-adaptive）ＵＬ再伝送、ＤＬ再伝送、サービス要求、及び衝突除去のようなＬＴＥモジュール動作は、非活性化タイマで保留される。一実施形態において、ＬＴＥモジュール動作は、ＬＴＥモジュール２０２とＩＳＭモジュール２０４との間のデバイス内部相互干渉が存在するまで再伝送タイマを値０に設定することによって保留される。したがって、ＩＳＭモジュール動作は、非活性化タイマが駆動される場合に干渉なしに許容される。
【００２７】
上記したギャップパターンは、ＬＴＥモジュール２０２又はＩＳＭモジュール２０４が任意の与えられた時点で動作されるようにする。しかしながら、ギャップパターンは、ＬＴＥ信号の送信及び／又は受信がＩＳＭ信号の送信及び／又は受信と同期化する方式で設計することができる。また、ＬＴＥ信号で短い区間送信又は受信は、該当する技術で有用な強力なチャンネル符号化によりＩＳＭ信号の受信又は送信及びその逆の場合に対しても同様に影響せず、その理由で許可が可能である。したがって、ギャップ設計は、チャンネル符号化により上記したような柔軟性を考慮することができる。いくつかのたまの状況に対するギャップパターンを生成するために、ＬＴＥモジュール及び／又はＩＳＭモジュールを動作させる時点を決定する上記のような自律的（autonomous）ＵＥの動作は、多くのギャップパターンの設計を減少させるのに助けを与える。このたまの自律的ＵＥの動作は、デバイス内部相互干渉の効率的なハンドリングのために必要である。ＵＥ２５２は、低頻度（small infrequent）であるが重要な他の技術のイベントを保護するために自律的にＵＬ／ＤＬ活性化遂行を決定し、それによってＬＴＥ送信及び受信のための最小ＢＬＥＲ要求を維持する自律的ギャップを生成できる。
【００２８】
ＬＴＥにおいて、測定ギャップは、ＵＥが周波数間測定を遂行することを助けるためにサポートされる。別の実施形態では、測定ギャップは、測定ギャップ関連パラメータの値で小さな変化としてデバイス内部相互干渉を解決するように望ましいＴＤＭ解決方式を提供するために使用することができる。
【００２９】
図５は、本発明の別の実施形態により、ＵＥ２５２のＬＴＥモジュール２０２とＩＳＭモジュール２０４との間のデバイス内部相互干渉をハンドリングする方法を示すプロセスフローチャート５００を示す。ステップ５０２において、ＬＴＥモジュール２０２とＩＳＭモジュール２０４との間のデバイス内部相互干渉が検出される。ステップ５０４において、周波数分割多重化（ＦＤＭ）ドメイン及び／又は時分割多重化（ＴＤＭ）ドメインでＬＴＥモジュール２０２に関連したパラメータの集合は、デバイス内部相互干渉を除去するために識別される。ＦＤＭドメインで、パラメータの集合は、ＩＳＭモジュール２０４に干渉をもたらし、あるいはＩＳＭモジュール２０４により影響を受けるＬＴＥ帯域で一つ以上の周波数を含む。ＴＤＭドメインで、パラメータの集合は、ＤＲＸサイクルパラメータ及び／又はＬＴＥモジュール動作に関連する予約されたＨＡＲＱプロセス値（例えば、ビットマップパターン）を含む。一例として、ＤＲＸサイクルパラメータは、オンデュレーションタイマ値、ＤＲＸサイクル長、再伝送タイマ値、及び非活性化タイマ値を含む。ＨＡＲＱプロセス値は、デバイス内部相互干渉に対する原因にならないサブフレームの集合で一つ以上のサブフレームと対応ＨＡＲＱプロセスを含む。
【００３０】
ステップ５０６において、パラメータの集合を示す統合シグナルリングメッセージ（unified signaling message）は、ＬＴＥモジュール２０２及びＩＳＭモジュール２０４に非干渉時間を提供するために基地局２５１に送信される。統合シグナリングは、ＦＤＭ及び／又はＴＤＭ除去関連パラメータが基地局２５１に同時に通信されるメカニズムである。統合シグナルリングメッセージは、ＵＥ２５２が、無線ネットワークがＵＥ２５２で検出されるデバイス内部相互干渉の報告をサポートすることを認識する場合のみに基地局２５１に送信される。また、統合シグナルリングメッセージは、ＵＥ２５２がデバイス内部相互干渉を除去するためにＴＤＭベースの解決方式又はＦＤＭベースの解決方式を好むか否かを指示する。
【００３１】
したがって、基地局２５１は、ＴＤＭドメインでＵＥ２５２にデータをスケジュールリングするか、あるいはパラメータの集合に基づいてＦＤＭドメイン解決方式を選択する。ＴＤＭ解決方式が選択される場合、ＵＥ２５２は、ＴＤＭドメインに関連したパラメータの集合に応答して基地局２５１からスケジュールリングパターンを受信する。ＦＤＭ解決方式が選択される場合、ＵＥ２５２は、ＦＤＭ解決方式がデバイス内部相互干渉を解決するために選択されることを指示するメッセージで通知され、このメッセージは、一つのコンポーネントキャリア（例えば、基本セル（Primary cell））から他のコンポーネントキャリアに無線接続をハンドオーバーするハンドオーバー命令あるいはその影響を受けるコンポーネントキャリア（例えば、補助セル（Secondary cell））を非活性化させる非活性化命令（deactivation command）を含むことができる。ＦＤＭ解決方式は、周波数間ハンドオーバーのためにＵＥ２５２及び無線通信ネットワーク２５３を準備するように基地局２５１決定を参照する。
【００３２】
また、ＵＥ２５２は、ＬＴＥモジュール２０２とＩＳＭモジュール２０４との間のデバイス内部相互干渉の終了を検出するために構成される。干渉が存在しない場合、ＵＥ２５２は、統合シグナルリングメッセージ、測定報告、無線リソース接続（radio resource connection：ＲＲＣ）メッセージ、又は新たなメッセージを通じてＬＴＥモジュール２０２とＩＳＭモジュール２０４との間のデバイス内部相互干渉の終了を通信する。一例では、統合シグナルリングメッセージは、ある程度のシグナルリングをイネーブル（enable）又はディセーブル（disable）することができる。‘信号イネーブル’は、デバイス内部相互干渉が検出される場合に使用され、その反面、‘信号ディセーブル’は、デバイス内部相互干渉がこれ以上存在しない場合に使用される。
【００３３】
ＬＴＥでは、ＵＬスケジュールリングの場合において、グラントがＰＤＣＣＨで受信され、該当するＵＬ送信がエアーインターフェースを介して伝達される時点からの時間を考慮することが可能である。ＴＴＩ‘ｎ’で受信されるＵＬグラントは、ＴＴＩ‘ｎ＋ｋ’に対して適用可能であり、ここで、‘ｋ’はＦＤＤの場合に４であり、‘ＵＬ−ＤＬ構成’に基づき、相互に異なる。‘ｋ’の値に基づき、ＵＥは、ＵＬ送信の事前知識（prior knowledge）を有する。
【００３４】
本発明の一実施形態において、ＵＬ送信の事前知識は、ギャップパターンを決定するのに活用できる。したがって、ＵＥ２５２がＵＬに対して提案されたビットパターンを送信しないことがあり、基地局２５１がＵＬ  ＴＴＩのどこでもＵＥ２５２をスケジュールリングでき、ＵＥ２５２がＩＳＭモジュール動作をターンオン／オフすることに関するフレームの知識を使用することができる。
【００３５】
ＬＴＥ  ＤＬにおいて、ＴＴＩ‘ｎ’で受信されるデータ割り当ては同一のＴＴＩ、すなわちＴＴＩ‘ｎ’で適用可能である。多くてもサブフレームの最初の３個のシンボルがＰＤＣＣＨのために使用され、該当ＵＥ  ＲＮＴＩに基づいたＰＤＣＣＨ復号化は、データがＵＥ２５１のために存在する場合に示す。この場合、ＵＥ２５２は、サブフレームの終了前に十分に速くＰＤＣＣＨを復号化でき、ＵＥ２５２は、ＵＥ２５２に対する特定ＴＴＩにデータが存在しないことを認識する場合、ＩＳＭラジオを活性化する十分な時間を有する。
【００３６】
あるいは、ＵＥ２５２は、ＰＤＣＣＨ復号化に基づいてＩＳＭラジオを活性化し、提供されるＵＥ２５２は、サブフレームの終了前に十分にＰＤＣＣＨを復号化することができる。ＰＤＣＣＨ復号化時間を向上させるために、基地局２５１は、ＵＥ２５２が基地局２５１にデバイス内部相互干渉を報告する場合、ＵＥ２５２をスケジュールリングするための減少した検索空間（search space）を使用することができる。
【００３７】
一実施形態において、上記した統合シグナルリングプロセスは、下記のような方式で動作する。基地局は、ＵＥ２５２に基地局が“干渉報告”をサポートし、またシステム情報ブロック又は特定専用メッセージを通じてデバイス内部相互干渉を報告するために考慮できる多数のコンポーネントキャリア（ＣＣ）を構成することを指示する。ＵＥ２５２がデバイス内部相互干渉を検出する場合、ＵＥ２５２は、基地局２５１にデバイス内部相互干渉の存在を報告するか否かを決定し、あるいはＵＥ２５２自身がデバイス内部相互干渉を処理できる。ＵＥ２５２が測定報告又は他のメッセージ（ＩＤＣ＿ＩＮＤ）を通じて基地局２５１にデバイス内部相互干渉を報告する場合。例えば、ＵＥ２５２は、単一キャリア又はキャリアの集合当たりＦＤＭ又はＴＤＭ解決方式の選好を報告する。ＴＤＭ解決方式が任意の該当キャリアに対して指示される場合、ＵＥ２５２は、データのＵＬ／ＤＬスケジュールリングに対するＵＥ有用性／非有用性を指示するギャップパターンを報告する。ステップ５０４に示すように、ＵＥ２５２は、ビットマップ又はＤＲＸパラメータを用いてＬＴＥモジュール動作のために予約されたサブフレーム及び対応するＨＡＲＱを指示する。また、ＵＥ２５２は、上記に説明したような解決方式が適用可能な区間を報告できる。
【００３８】
測定報告又は他のメッセージ（ＩＤＣ＿ＩＮＤ）を受信した後。基地局２５１は、デバイス内部相互干渉を除去するためにＦＤＭ解決方式又はＴＤＭ解決方式を選択するか否か決定する。基地局２５１がＦＤＭ解決方式を選択する場合、以後基地局２５１は、キャリアが補助セルであり、デバイス内部相互干渉を直面する／もたらすと報告される場合、キャリアを非活性化させる。一方、基地局２５１は、コンポーネントキャリアが基本セルであり、デバイス内部相互干渉を直面する／もたらすと報告されるコンポーネントキャリアの場合にハンドオーバーを遂行する。
【００３９】
これに対して、基地局２５１がＴＤＭ解決方式を選択する場合、基地局２５１は、ＬＴＥモジュール動作又はＤＲＸサイクルパラメータのために予約されたサブフレーム及び対応ＨＡＲＱプロセスをＵＥ２５２に指示する。サブフレーム及び対応するＨＡＲＱプロセス又はＤＲＸパラメータは、ＵＥ２５２により以前に通信された予約されているサブフレーム及び対応ＨＡＲＱプロセス又はＤＲＸサイクルパラメータと同一であり、あるいはＵＥ２５２により以前に通信された予約されているサブフレーム及び対応ＨＡＲＱプロセス又はＤＲＸサイクルパラメータの変更されたバージョンであり得る。基地局２５１は、上記した情報をギャップパターンに基づいたビットマップ又はＨＡＲＱビットマップあるいはＤＲＸパラメータを報告したＵＥから引き出されたＤＲＸパラメータで指示できる。基地局２５１から受信された応答にギャップパターン（ビットマップ又はＤＲＸパラメータ）が存在しない場合、ＵＥ２５２は、基地局２５１に送信されたギャップパターンが適用することを推定できる。
【００４０】
ＵＥを上記したような構成パラメータを用いて同期化するために、基地局２５１は、セル内ハンドオーバー手順を開始するように選択でき、ハンドオーバーメッセージを用いてＵＥ２５２に新たな構成を送信する。また、基地局２５１は、基地局２５１からの応答でＵＥ２５２に構成の有効性に該当するパラメータを提供できる。ＵＥ２５２がデバイス内部相互干渉が終了することを報告しない場合には、ＵＥ２５２及び基地局２５１は、デバイス内部相互干渉に関連した構成を解除するために有効性タイマを使用し、その後に一般的な動作が始まる。ＵＥ２５２が構成の有効性を拡張させることを所望する場合、ＵＥ２５２は、測定報告又はすべてのパラメータ（ＤＲＸサイクルパラメータ、予約されたサブフレーム及び対応ＨＡＲＱプロセス、及び影響を受ける周波数）を含む他のメッセージ（例えば、ＩＤＣ＿ＩＮＤ）を送信できる。
【００４１】
以上、本発明の詳細な説明においては具体的な実施形態に関して説明したが、特許請求の範囲を外れない限り、様々な変更が可能であることは、当該技術分野における通常の知識を持つ者には明らかである。また、本発明で説明される多様なデバイス、モジュール、選択器、及び推定器は活性化でき、ハードウェア回路、例えば相補性金属酸化膜半導体（complementary metal oxide semiconductor）ベースの論理回路、ファームウエア（firmware）、ソフトウェア及び／又はハードウェアとファームウエア及び／又は機械読み取り可能な媒体に挿入されたソフトウェアとの組み合わせのようなハードウェア回路を用いて動作できる。例えば、多様な電気構造及び方法は、トランジスタ、論理ゲート、及び注文型半導体のような電気回路を用いて実施することができる。
【００４２】
＜用語説明及びその定義＞
ＳＩＮＲ-(Signal-to-noise plus interference ratio)
ＲＳＲＰ-(Reference Signal Received Power)
ＲＳＳＩ-(Received Signal Strength Indication)
ＲＮＴＩ-(Radio Network Temporary Identifier)
ＴＴＩ-(Transmission Time Interval)
ＤＲＸ-(Discontinuous Reception)
ＰＤＣＣＨ-(Physical Downlink Control Channel)
ＨＡＲＱ-(Hybrid Automatic Repeat Request)
ＬＴＥ-(Long Term Evolution)
ＩＳＭ-(The Industrial，Scientific and Medical Radio Band)
ＧＮＳＳ-(Global Navigation Satellite Systems)
ＢＬＥＲ-(Block Error Rate)
ＦＤＭ-(Frequency Division Multiplexing)
ＦＤＤ-(Frequency-Division Duplexing)
ＴＤＭ-(Time Division Multiplexing)
ＴＤＤ-(Time Division Duplexing)
ＷｉＭａｘ-(Worldwide Interoperability for Microwave Access)
ＵＬ-(Uplink)
ＤＬ-(Downlink)
ＩＥＥＥ-(Institute of Electrical and Electronics Engineers)
【符号の説明】
【００４３】
２００  無線通信システム
２０２  ＬＴＥモジュール
２０４  ＩＳＭモジュール
２０６  プロセッサ
２０８  メモリ
２１０  干渉除去モジュール
２５１  基地局
２５２  ユーザー端末
２５３  無線ネットワーク
【図１Ａ】
0005890048.tif 000002
【図１Ｂ】
0005890048.tif 000003
【図２】
0005890048.tif 000004
【図３】
0005890048.tif 000005
【図４】
0005890048.tif 000006
【図５】
0005890048.tif 000007